(57)【要約】【課題】硬貨の分岐方向を増やしても、装置の小型化を図ることができる硬貨分岐装置を提供する。【解決手段】硬貨分岐装置は、硬貨を搬送路から分岐させる分岐部材と、分岐部材を、硬貨を搬送路の下流方向へ誘導する第１の状態と、搬送路から硬貨を落下させる第１の方向に誘導する第２の状態と、搬送路の下流方向および第１の方向と異なる第２の方向に誘導する第３の状態と、のいずれかの状態に変化させる駆動部と、を備える。【選択図】図１１
2018198010.tif 000002
【特許請求の範囲】
【請求項１】
硬貨を搬送路から分岐させる分岐部材と、
前記分岐部材を、前記硬貨を前記搬送路の下流方向へ誘導する第１の状態と、前記搬送路から前記硬貨を落下させる第１の方向に誘導する第２の状態と、前記搬送路の下流方向および前記第１の方向と異なる第２の方向に誘導する第３の状態と、のいずれかの状態に変化させる駆動部と、
を有する硬貨分岐装置。
【請求項２】
前記分岐部材は、前記第１の状態では、前記搬送路の底面と側面とを形成し、前記第２の状態では、前記搬送路の底面に前記硬貨が通過する第１の開口を形成する、
請求項１に記載の硬貨分岐装置。
【請求項３】
前記分岐部材は、前記第３の状態では、前記搬送路の側面に前記硬貨が通過する第２の開口を形成する、
請求項２に記載の硬貨分岐装置。
【請求項４】
前記分岐部材は、前記第２の状態では、前記硬貨が前記搬送路の下流方向に搬送されることを阻止し、前記硬貨を前記第１の開口に誘導する第１のガイドを形成する、
請求項２に記載の硬貨分岐装置。
【請求項５】
前記分岐部材は、前記第３の状態では、前記硬貨が前記搬送路の下流方向に搬送されることを阻止し、前記硬貨を前記第２の開口に誘導する第２のガイドを形成する、
請求項３に記載の硬貨分岐装置。
【請求項６】
前記第３の状態は、前記硬貨を前記搬送路の一方の側面方向に誘導する第４の状態と、前記硬貨を前記搬送路の他方の側面方向に誘導する第５の状態とを有する、
請求項１乃至５のいずれか一項に記載の硬貨分岐装置。
【請求項７】
前記搬送路の側面に対向する位置に設けられ、前記搬送路上の硬貨に接触して搬送する搬送部をさらに備え、
前記分岐部材は、前記第３の状態では、前記搬送路の側面に関して前記搬送部とは反対側に前記硬貨を誘導する、
請求項１乃至６のいずれか一項に記載の硬貨分岐装置。
【請求項８】
前記搬送部は、複数の突起を有するベルトを含み、前記突起により前記搬送路上の硬貨の後ろ側を押すことにより硬貨を搬送する、
請求項７に記載の硬貨分岐装置。
【請求項９】
前記分岐部材は、前記第１の状態において、前記搬送路の底面と第１の側面とを形成する第１の部材と、前記第１の側面に対向する第２の側面を形成する第２の部材とを有する、
請求項１乃至８のいずれか一項に記載の硬貨分岐装置。
【請求項１０】
前記分岐部材は、前記第２の状態において、前記第１の開口を形成する第１の部材と、前記第３の状態において、前記第２の開口を形成する第２の部材とを有する、
請求項３に記載の硬貨分岐装置。
【請求項１１】
前記第１の部材は、前記第１の状態において、前記搬送路の底面と前記第２の開口が形成される側面に対向する側面とを形成し、
前記第２の部材は、前記第１の状態において、前記第２の開口が形成される側面を形成する、
請求項１０に記載の硬貨分岐装置。
【請求項１２】
前記駆動部は、前記第１の部材および前記第２の部材のそれぞれを駆動する２つのアクチュエータを含む、
請求項９乃至１１のいずれか一項に記載の硬貨分岐装置。
【請求項１３】
請求項１乃至１２のいずれか一項に記載の硬貨分岐装置を備える硬貨処理装置。
【発明の詳細な説明】
【技術分野】
【０００１】
本発明は、硬貨分岐装置および硬貨処理装置に関する。
【背景技術】
【０００２】
従来、入金される硬貨を傾斜して搬送し、金種ごとに分類して収納する硬貨処理装置がある。この硬貨処理装置は、硬貨分岐装置を備え、搬送路上の硬貨を、硬貨の搬送方向と、硬貨の背面方向（傾斜した搬送路面で支持される面）との２方向に分岐し、金種ごとに分類して収納する（例えば、特許文献１参照）。
【先行技術文献】
【特許文献】
【０００３】
【特許文献１】特開２００６−２３６１１５号公報
【発明の概要】
【発明が解決しようとする課題】
【０００４】
しかしながら、特許文献１の硬貨分岐装置は、上記したように硬貨を２方向に分岐するものであり、３方向に分岐するためには、硬貨分岐装置を２個並べる必要がある。そのため、装置が大きくなる。
【０００５】
そこで本発明は、硬貨の分岐方向を増やしても、装置の小型化を図る技術を提供することを目的とする。
【課題を解決するための手段】
【０００６】
本発明の硬貨分岐装置は、硬貨を搬送路から分岐させる分岐部材と、前記分岐部材を、前記硬貨を前記搬送路の下流方向へ誘導する第１の状態と、前記搬送路から前記硬貨を落下させる第１の方向に誘導する第２の状態と、前記搬送路の下流方向および前記第１の方向と異なる第２の方向に誘導する第３の状態と、のいずれかの状態に変化させる駆動部と、を有する。
【０００７】
また、本発明の硬貨処理装置は、硬貨を搬送路から分岐させる分岐部材と、前記分岐部材を、前記硬貨を前記搬送路の下流方向へ誘導する第１の状態と、前記搬送路から前記硬貨を落下させる第１の方向に誘導する第２の状態と、前記搬送路の下流方向および前記第１の方向と異なる第２の方向に誘導する第３の状態と、のいずれかの状態に変化させる駆動部と、を有する硬貨分岐装置を備える。
【発明の効果】
【０００８】
本発明によれば、硬貨の分岐方向を増やしても、装置の小型化を図ることができる。
【図面の簡単な説明】
【０００９】
【図１】第１の実施の形態に係る硬貨分岐装置を適用した硬貨処理装置の一例を示した斜視図である。
【図２】硬貨処理装置の側断面図である。
【図３】図２のＡ−Ａ矢視断面図である。
【図４】硬貨の搬送経路を説明する図のその１である。
【図５】硬貨の搬送経路を説明する図のその２である。
【図６】硬貨の搬送経路を説明する図のその３である。
【図７】搬送部を説明する図である。
【図８】図７のＢ−Ｂ矢視断面図である。
【図９】硬貨分岐装置を構成する部品の斜視図を示している。
【図１０】硬貨分岐装置を構成する部品の斜視図を示している。
【図１１】搬送部に取付けられた硬貨分岐装置の斜視図のその１である。
【図１２】図１１の状態における硬貨分岐装置を−ｙ軸方向から見た図である。
【図１３】搬送部に取付けられた硬貨分岐装置の斜視図のその２である。
【図１４】図１３の状態における硬貨分岐装置を−ｙ軸方向から見た図である。
【図１５】搬送部に取付けられた硬貨分岐装置の斜視図のその３である。
【図１６】図１５の状態における硬貨分岐装置を−ｙ軸方向から見た図である。
【図１７】第２の実施の形態に係る硬貨分岐装置の一例を示した正面断面図である。
【図１８】硬貨分岐装置の正面断面図である。
【図１９】硬貨分岐装置の正面断面図である。
【図２０】硬貨分岐装置の正面断面図である。
【図２１】第３の実施の形態に係る硬貨分岐装置の一例を示した正面図である。
【図２２】図２１の状態における硬貨分岐装置を＋ｘ軸方向から見た図である。
【図２３】ゲートが上方に移動したときの状態を示した図である。
【図２４】図２３の状態における硬貨分岐装置を＋ｘ軸方向から見た図である。
【図２５】ゲートが右方に移動したときの状態を示した図である。
【図２６】ゲートが左方に移動したときの状態を示した図である。
【発明を実施するための形態】
【００１０】
以下、本発明の実施の形態を、図面を参照して説明する。
【００１１】
［第１の実施の形態］
図１は、第１の実施の形態に係る硬貨分岐装置を適用した硬貨処理装置１の一例を示した斜視図である。図１に示すように、硬貨処理装置１は、入金口２と、出金口３と、を有している。硬貨処理装置１は、例えば、レジにて支払われた硬貨を収納し、または収納した硬貨を釣銭として繰出す。以下では、硬貨処理装置１に対し、図１に示すような３軸の座標を設定する。
【００１２】
入金口２は、装置前方の上面に設けられている。入金口２には、硬貨処理装置１に入金される硬貨が投入される。入金口２に投入された硬貨は、硬貨処理装置１に収納される。
【００１３】
出金口３は、装置前面であって、入金口２の下方に設けられている。出金口３には、硬貨処理装置１に収納された硬貨が出金される。また、出金口３には、入金の際のリジェクト硬貨が出金される。
【００１４】
図２は、硬貨処理装置１の側断面図である。図２に示す硬貨処理装置１は、図１の硬貨処理装置１に対し、形状等を簡略化して図示している。図２において、図１と同じものには同じ符号が付してある。
【００１５】
図２に示すように、硬貨処理装置１は、貯留繰出装置１１と、搬送部１２と、識別部１３と、硬貨分岐装置１４，１５ａ〜１５ｄと、収納繰出装置１６ａ〜１６ｄと、出金搬送部１７と、回収庫１８と、を有している。
【００１６】
入金口２に投入された硬貨は、シュートを伝って、貯留繰出装置１１に落下する。貯留繰出装置１１は、入金口２に投入された硬貨を一時貯留する。図２に示す硬貨Ｃは、貯留繰出装置１１に一時貯留された硬貨を示している。
【００１７】
貯留繰出装置１１は、傾斜円盤１１ａを有している。傾斜円盤１１ａは、表面に硬貨を引っ掛ける突起（図示せず）を有している。貯留繰出装置１１は、傾斜円盤１１ａを回転させて（例えば、図中反時計回りに回転させて）、一時貯留している硬貨Ｃを表面の突起に引っ掛け、上方へ拾い上げる。そして、貯留繰出装置１１は、傾斜円盤１１ａで上方に拾い上げた硬貨Ｃを搬送部１２に繰出す。図２に示す硬貨Ｃ’は、傾斜円盤１１ａにより、搬送部１２へ繰出される硬貨を示している。
【００１８】
搬送部１２は、硬貨処理装置１の上面のすぐ下に設けられている。また、搬送部１２は、装置の前面または背面から見て、略中央部に設けられている（ｘ軸方向における略中央部、例えば、図３を参照）。搬送部１２は、装置前方から後方に向かって伸びている。搬送部１２は、貯留繰出装置１１から繰出された硬貨を、装置前方から後方に向かって搬送する。
【００１９】
識別部１３は、貯留繰出装置１１の下流かつ硬貨分岐装置１４，１５ａ〜１５ｄの上流であって、搬送部１２上に設けられている。識別部１３は、貯留繰出装置１１から繰出された硬貨を識別する。例えば、識別部１３は、磁気センサ等の各種センサを備え、搬送部１２で搬送される硬貨の金種、リジェクト硬貨、または回収硬貨等を識別する。
【００２０】
硬貨分岐装置１４は、搬送部１２で搬送される硬貨を、３方向に分岐させる。例えば、硬貨分岐装置１４は、搬送部１２で搬送される硬貨を、搬送下流方向と（硬貨をそのまま搬送部１２で搬送させる方向（＋ｙ軸方向）と）、出金搬送部１７へ誘導する方向と、回収庫１８へ誘導する方向とに分岐させる。
【００２１】
硬貨分岐装置１４は、識別部１３の識別結果に応じて、搬送部１２で搬送される硬貨を、３方向に分岐させる。例えば、硬貨分岐装置１４は、識別部１３によってリジェクト硬貨と識別された硬貨に対しては、出金搬送部１７へ誘導する方向に分岐する。リジェクト硬貨は、入金硬貨として受け付けられない金種の硬貨や、金種を識別できなかった硬貨や、偽貨または偽貨の疑いのある硬貨を含む。また、硬貨分岐装置１４は、識別部１３によって回収硬貨と識別された硬貨に対しては、回収庫１８へ誘導する方向に分岐する。回収硬貨は、入金硬貨として受け付けるが、出金硬貨として使用されない金種の硬貨を含む。また、リジェクト硬貨の内、偽貨または偽貨の疑いのある硬貨を回収庫１８に収納するようにしてもよい。また、硬貨分岐装置１４は、識別部１３によってリジェクト硬貨および回収硬貨でないと識別され、かつ金種が判定された硬貨に対しては、搬送下流方向に分岐する。
【００２２】
硬貨分岐装置１５ａ〜１５ｄは、搬送部１２で搬送される硬貨を、３方向に分岐させる。例えば、硬貨分岐装置１５ａ〜１５ｄは、搬送部１２で搬送される硬貨を、搬送下流方向と、収納繰出装置１６ａ〜１６ｄへ誘導する方向と、搬送部１２を挟み、収納繰出装置１６ａ〜１６ｄと対向するように設けられている４つの収納繰出装置（例えば、図３を参照）へ誘導する方向とに分岐させる。
【００２３】
硬貨分岐装置１５ａ〜１５ｄは、識別部１３の識別結果に応じて、搬送部１２で搬送される硬貨を、３方向に分岐させる。例えば、硬貨分岐装置１５ａは、識別部１３によって第１の金種と識別された硬貨に対しては、収納繰出装置１６ａへ誘導する方向に分岐する（例えば、図５の矢印Ａ１１を参照）。また、硬貨分岐装置１５ａは、識別部１３によって第２の金種と識別された硬貨に対しては、搬送部１２を挟んで収納繰出装置１６ａと対向するように設けられた収納繰出装置へ誘導する方向に分岐する（例えば、図５の矢印Ａ１２を参照）。また、硬貨分岐装置１５ａは、識別部１３によって第１の金種および第２の金種以外の金種と識別された硬貨に対しては、搬送下流方向（例えば、図５の＋ｙ軸方向）に分岐する。
【００２４】
また、硬貨分岐装置１５ｂは、識別部１３によって第３の金種と識別された硬貨に対しては、収納繰出装置１６ｂへ誘導する方向に分岐する。また、硬貨分岐装置１５ｂは、識別部１３によって第４の金種と識別された硬貨に対しては、搬送部１２を挟み、収納繰出装置１６ｂと対向するように設けられた収納繰出装置へ誘導する方向に分岐する。また、硬貨分岐装置１５ｂは、識別部１３によって第１〜第４の金種以外の金種と識別された硬貨に対しては、搬送下流方向に分岐する。
【００２５】
硬貨分岐装置１５ｃも硬貨分岐装置１５ａ，１５ｂと同様に、搬送部１２で搬送される硬貨を３方向に分岐する。硬貨分岐装置１５ｄについては、搬送部１２の下流が存在しないので、２方向に分岐する。例えば、硬貨分岐装置１５ｄは、搬送部１２で搬送される硬貨に対しては、収納繰出装置１６ｄへ誘導する方向と、搬送部１２を挟み、収納繰出装置１６ｄと対向するように設けられた収納繰出装置へ誘導する方向との２方向に分岐する。
【００２６】
収納繰出装置１６ａ〜１６ｄは、搬送部１２で搬送された硬貨を収納する。搬送部１２で搬送される硬貨は、識別部１３の識別結果に応じて、硬貨分岐装置１５ａ〜１５ｄによって分岐（仕分け）される。これにより、収納繰出装置１６ａ〜１６ｄのそれぞれは、金種ごとに硬貨を収納する。
【００２７】
なお、硬貨処理装置１は、上記したように、搬送部１２を挟み、収納繰出装置１６ａ〜１６ｄと対向するように、４つの収納繰出装置を有している。従って、硬貨処理装置１は、最大で８金種の硬貨を収納することになる。
【００２８】
収納繰出装置１６ａ〜１６ｄ（搬送部１２を挟み、収納繰出装置１６ａ〜１６ｄと対向するように設けられた収納繰出装置も含む）は、収納している硬貨を、出金搬送部１７に繰出す。収納繰出装置１６ａ〜１６ｄは、表面に硬貨を引っ掛ける突起を備えた傾斜円盤を有している。収納繰出装置１６ａ〜１６ｄは、傾斜円盤を回転させることで、表面の突起に硬貨を引っ掛け、上方に拾い上げる。収納繰出装置１６ａ〜１６ｄは、傾斜円盤で上方に拾い上げた硬貨を、繰出出口から繰出し、出金搬送部１７に落下させる（例えば、図３の矢印Ａを参照）。
【００２９】
出金搬送部１７は、硬貨処理装置１の底面の上に設けられ、装置前方から後方に向かって伸びている。出金搬送部１７上には、硬貨分岐装置１４によって分岐されたリジェクト硬貨が落下される。また、出金搬送部１７上には、収納繰出装置１６ａ〜１６ｄ（搬送部１２を挟み、収納繰出装置１６ａ〜１６ｄと対向するように設けられた収納繰出装置も含む）から繰出された硬貨が落下される。出金搬送部１７は、硬貨分岐装置１４によって分岐されたリジェクト硬貨および収納繰出装置１６ａ〜１６ｄから繰出された硬貨を、出金口３に搬送する。
【００３０】
回収庫１８には、硬貨分岐装置１４によって分岐された回収硬貨が収納される。回収庫１８は、繰出機能を有さない収納専用のボックスである。回収庫１８に収納された回収硬貨は、硬貨処理装置１の内部にアクセスすることにより取り出すことができる。または、回収庫１８を取り外し可能なカセット構造としてもよい。回収庫１８は、搬送部１２の下方であって、出金搬送部１７の上方に設けられる。また、回収庫１８は、硬貨処理装置１の前方、具体的には、収納繰出装置１６ａａの前方に設けられることにより、回収硬貨の取出しが容易となる。
【００３１】
図３は、図２のＡ−Ａ矢視断面図である。図３において、図２と同じものには同じ符号が付してある。なお、図３では、図２で示した構成要素の一部図示を省略している。
【００３２】
図３に示す点線は、貯留繰出装置１１の傾斜円盤１１ａを示している。また、図３には、搬送部１２で搬送される硬貨Ｃ１が示してある。硬貨Ｃ１を搬送する搬送部１２の搬送路は、図３に示すように傾斜している。
【００３３】
図３に示すように、硬貨処理装置１は、収納繰出装置１６ｅを有している。収納繰出装置１６ｅは、搬送部１２を挟み、収納繰出装置１６ａに対向するように設けられている。
【００３４】
なお、硬貨処理装置１は、収納繰出装置１６ｂ〜１６ｃにおいても、搬送部１２を挟んで対向するように、硬貨繰出装置を有している。
【００３５】
図３に示す硬貨Ｃ１１は、収納繰出装置１６ｅに収納されている硬貨を示している。図３に示す硬貨Ｃ１２は、収納繰出装置１６ｅから繰出される硬貨を示している。硬貨Ｃ１２は、収納繰出装置１６ｅが有する傾斜円盤１６ｅａの突起（図示せず）に引っ掛けられ、上方に拾い上げられる。そして、硬貨Ｃ１２は、ガイドＧ１に乗って、傾斜円盤から離され、図３の矢印Ａに示すように、出金搬送部１７へ落下される。
【００３６】
図４は、硬貨の搬送経路を説明する図のその１である。図４において、図２と同じものには同じ符号が付してある。
【００３７】
入金口２に投入された硬貨は、矢印Ａ１に示すように、貯留繰出装置１１に送られ、一時貯留される。
【００３８】
貯留繰出装置１１で貯留された硬貨は、矢印Ａ２に示すように、貯留繰出装置１１の傾斜円盤１１ａによって、搬送部１２に繰出される。搬送部１２に繰出された硬貨は、矢印Ａ３に示すように、下流（＋ｙ軸方向）に搬送される。
【００３９】
搬送部１２で搬送される硬貨のうち、リジェクト硬貨は、矢印Ａ４に示すように、硬貨分岐装置１４によって搬送部１２から分岐され、出金搬送部１７へ落下される。これにより、リジェクト硬貨は、出金口３へ戻される。また、搬送部１２で搬送される硬貨のうち、回収硬貨は、矢印Ａ５に示すように、硬貨分岐装置１４によって搬送部１２から分岐され、回収庫１８へ落下される。これにより、回収硬貨は、回収庫１８に回収（収納）される。
【００４０】
搬送部１２で搬送される硬貨のうち、金種が識別された硬貨は、所定の金種に対応する硬貨分岐装置１５ａ〜１５ｄによって搬送部１２から分岐され、収納繰出装置１６ａ〜１６ｄに落下される。例えば、矢印Ａ６に示すように、収納繰出装置１６ｂに対応する金種の硬貨は、硬貨分岐装置１５ｂによって搬送部１２から分岐され、収納繰出装置１６ｂに落下される。
【００４１】
図５は、硬貨の搬送経路を説明する図のその２である。図５において、図３と同じものには同じ符号が付してある。
【００４２】
搬送部１２で搬送される硬貨は、識別部１３の識別結果に応じて、搬送方向が変更される。
【００４３】
例えば、硬貨分岐装置１５ａ（図５には、図示せず）は、識別部１３の識別結果に応じて、搬送部１２で搬送される硬貨Ｃ１を、図５の矢印Ａ１１，Ａ１２のいずれか一方に分岐する。より具体的には、識別部１３が、硬貨Ｃ１を第１の金種と判定した場合、硬貨分岐装置１５ａは、硬貨Ｃ１を矢印Ａ１１に分岐する。また、識別部１３が、硬貨Ｃ１を第２の金種と判定した場合、硬貨分岐装置１５ａは、硬貨Ｃ１を矢印Ａ１２に分岐する。
【００４４】
また、硬貨分岐装置１５ａは、識別部１３の識別結果に応じて、搬送部１２で搬送される硬貨Ｃ１を、＋ｙ軸方向に分岐する（搬送下流方向にそのまま搬送する）。より具体的には、識別部１３が、硬貨Ｃ１を第１の金種および第２の金種以外の金種と判定した場合、硬貨分岐装置１５ａは、硬貨Ｃ１を搬送下流方向に分岐する。
【００４５】
図６は、硬貨の搬送経路を説明する図のその３である。収納繰出装置１６ａ〜１６ｅに収納された硬貨は、収納繰出装置１６ａ〜１６ｅが備える傾斜円盤によって上方に拾い上げられ（例えば、図３の硬貨Ｃ１２を参照）、出金搬送部１７へ落下される。例えば、矢印Ａ２１に示すように、収納繰出装置１６ｂに収納されている硬貨は、傾斜円盤によって上方に拾い上げられ、出金搬送部１７へ落下される。
【００４６】
出金搬送部１７へ落下された硬貨は、矢印Ａ２２に示すように、出金搬送部１７によって、出金口３へ搬送される。これにより、収納繰出装置１６ａ〜１６ｅに収納されていた硬貨は、出金口３へ出金される。
【００４７】
図７は、搬送部１２を説明する図である。図７において、図２と同じものには同じ符号が付してある。
【００４８】
図７に示すように、搬送部１２は、硬貨を搬送する搬送路２１を有している。搬送路２１には、開口部２２，２３ａ〜２３ｄが形成されている。開口部２２，２３ａ〜２３ｄは、四角形状の部分と、弓形状の部分とを有している。以下で詳述するが、開口部２２，２３ａ〜２３ｄに、硬貨の搬送方向を分岐する硬貨分岐装置１４，１５ａ〜１５ｄが設けられる（配置される）。
【００４９】
また、搬送部１２は、搬送ベルト２４と、搬送ベルト２４を駆動（回転）するプーリー２５ａ，２５ｂと、を有している。搬送ベルト２４は、搬送路２１上の硬貨を引っ掛けるための複数の突起（図７には図示せず）を有している。
【００５０】
図８は、図７のＢ−Ｂ矢視断面図である。図８において、図７と同じものには同じ符号が付してある。なお、図８には、搬送部１２で搬送される硬貨Ｃ２１も示してある。
【００５１】
搬送路２１は、図８に示すように、傾斜した側面Ｓ１と、底面Ｓ２とによって形成されている。硬貨Ｃ２１は、その平面（側面）が搬送路２１の側面Ｓ１によって支持され、周面の下端が底面Ｓ２で支持される。
【００５２】
搬送ベルト２４は、搬送路２１の側面Ｓ１に対向するように設けられている。搬送ベルト２４は、突起２４ａを有している。突起２４ａは、その一方の先端が、搬送路２１の側面Ｓ１の近くまで伸びている。
【００５３】
搬送ベルト２４は、図７において、反時計回りに回転する。これにより、搬送ベルト２４に設けられた突起２４ａは、硬貨Ｃ２１の後ろ側を押すことになる。これにより、硬貨Ｃ２１は、＋ｙ軸方向に搬送される。
【００５４】
硬貨分岐装置１５ａについて説明する。硬貨分岐装置１４，１５ｂ〜１５ｄは、硬貨分岐装置１５ａと同様の構成を有しており、以下では、その説明を省略する。
【００５５】
図９は、硬貨分岐装置１５ａを構成する部品の斜視図を示している。硬貨分岐装置１５ａは、図９に示す部品と、後述する図１０に示す部品とによって構成される（例えば、図１１を参照）。図９および図１０に示す硬貨分岐装置１５ａは、図７（または図１１を参照）に示した搬送部１２の開口部２３ａに配置される。
【００５６】
図９に示すように、硬貨分岐装置１５ａは、Ａゲート３１（分岐部材）と、アクチュエータ３２（駆動部）と、連結部材３３と、を有している。
【００５７】
Ａゲート３１は、底面Ｓ１１と、側面Ｓ１２とを有している。底面Ｓ１１と側面Ｓ１２は、Ｌ字状の面を形成している。底面Ｓ１１は、硬貨の周面の下端が接する（乗る）。以下でも説明するが、底面Ｓ１１および側面Ｓ１２は、図７に示した開口部２３ａにおいて、搬送路２１の一部を形成する。
【００５８】
Ａゲート３１は、ｙ軸方向に伸びる軸３１ａを回動軸として回動する。Ａゲート３１は、図９に示す両矢印Ａ３１に示すように、軸３１ａを中心に、時計回りおよび反時計回りの方向に回動する。
【００５９】
Ａゲート３１は、ガイド３１ｂを有している。ガイド３１ｂは、弓形状を有し、図７に示した開口部２３ａの弓形状の部分に配置される。
【００６０】
アクチュエータ３２には、連結部材３３の一端が接続されている。アクチュエータ３２は、連結部材３３を、図９の両矢印Ａ３２方向に直線運動させる。連結部材３３の他端は、Ａゲート３１に接続されており、Ａゲート３１を、直線運動によって、両矢印Ａ３１に示す方向に回動する。
【００６１】
図１０は、硬貨分岐装置１５ａを構成する部品の斜視図を示している。図１０に示すように、硬貨分岐装置１５ａは、Ｂゲート４１（分岐部材）と、アクチュエータ４２（駆動部）と、連結部材４３と、を有している。
【００６２】
Ｂゲート４１は、側面Ｓ２１を有している。側面Ｓ２１は、硬貨の平面が接する（乗る）。以下でも説明するが、側面Ｓ２１は、図７に示した開口部２３ａにおいて、搬送路２１の一部を形成する。
【００６３】
Ｂゲート４１は、ｙ軸方向に伸びる軸４１ａを回動軸として回動する。Ｂゲート４１は、図１０に示す両矢印Ａ４１に示すように、軸４１ａを中心に、時計回りおよび反時計回りの方向に回動する。
【００６４】
アクチュエータ４２には、連結部材４３の一端が接続されている。アクチュエータ４２は、連結部材４３を、図９の両矢印Ａ４２方向に直線運動させる。連結部材４３の他端は、Ｂゲート４１に接続されており、Ｂゲート４１を、直線運動によって、両矢印Ａ４１に示す方向に回動する。
【００６５】
図１１は、搬送部１２に取付けられた硬貨分岐装置１５ａの斜視図のその１である。図１１には、図９および図１０に示した硬貨分岐装置１５ａと、図７および図８に示した搬送部１２の一部とが示してある。図１１において、図７〜図１０と同じものには同じ符号が付してある。図１１には、硬貨Ｃ３１が示してある。
【００６６】
図１１に示すように、Ａゲート３１およびＢゲート４１は、搬送路２１に設けられた開口部２３ａに設けられている。Ａゲート３１は、弓形状のガイド３１ｂが、開口部２３ａの弓形状の位置に来るように設けられている。
【００６７】
図１１では、Ａゲート３１の底面Ｓ１１は、搬送路２１の底面Ｓ２と面一になっている。また、Ａゲート３１の側面Ｓ１２は、搬送路２１の側面Ｓ１と対向するようになっている。また、Ｂゲート４１の側面Ｓ２１は、搬送路２１の側面Ｓ１と面一になっている。すなわち、Ａゲート３１の底面Ｓ１１および側面Ｓ１２と、Ｂゲート４１の側面Ｓ２１は、図１１に示す状態では、開口部２３ａにおいて、Ｕ字状の搬送路を形成している。
【００６８】
これにより、硬貨Ｃ３１は、開口部２３ａを超えて、搬送路２１の下流（＋ｙ軸方向）へ搬送される。従って、硬貨Ｃ３１は、例えば、図５に示した矢印Ａ１１，Ａ１２の方向に誘導されず、収納繰出装置１６ａ，１６ｅに収納されない。
【００６９】
図１２は、図１１の状態における硬貨分岐装置１５ａを−ｙ軸方向から見た図である。図１２において、図９〜図１１と同じものには同じ符号が付してある。なお、図１２では、アクチュエータ３２，４２および連結部材３３，４３の図示を省略している。また、図１２に示す硬貨分岐装置１５ａは、図１１に示した硬貨分岐装置１５ａに対し、形状等を簡略化して図示している。図１２に示す一点鎖線は、図１１に示した搬送路２１の側面Ｓ１の位置を示している。
【００７０】
Ａゲート３１およびＢゲート４１が、アクチュエータ３２，４２の制御によって回動し、図１２に示す状態にあるとき、Ａゲート３１の底面Ｓ１１と、Ａゲート３１の側面Ｓ１２と、Ｂゲート４１の側面Ｓ２１は、搬送路２１に設けられた開口部２３ａにおいて、硬貨Ｃ３１が通過する搬送路を形成する。これにより、硬貨Ｃ３１は、搬送路２１の下流へと（＋ｙ軸方向へと）搬送される。
【００７１】
図１３は、搬送部１２に取付けられた硬貨分岐装置１５ａの斜視図のその２である。図１３において、図１１と同じものには同じ符号が付してある。
【００７２】
図１３に示す硬貨分岐装置１５ａは、図１１に示した硬貨分岐装置１５ａに対し、Ａゲート３１が、軸３１ａを回動軸として回動している。具体的には、Ａゲート３１は、軸３１ａを回動軸として時計回りに回動している。一方、Ｂゲート４１は、図１１の状態から変化していない。
【００７３】
Ａゲート３１の底面Ｓ１１は、図１３に示すように、搬送路２１の底面Ｓ２からずれている。すなわち、Ａゲート３１は、図１３に示す状態では、搬送路２１の底面に、開口（第１の開口）を形成する。
【００７４】
これにより、硬貨Ｃ３１は、図１３の硬貨Ｃ３１ａに示すように、Ａゲート３１とＢゲート４１との間を通って落下する。Ａゲート３１とＢゲート４１との間を落下する硬貨Ｃ３１ａは、図５に示した収納繰出装置１６ａに収納される。
【００７５】
なお、硬貨Ｃ３１ａは、例えば、収納繰出装置１６ａとつながったシュート（図５および図１３には図示せず）を伝って、収納繰出装置１６ａに収納される。
【００７６】
Ａゲート３１のガイド３１ｂは、Ａゲート３１の回動によって、図１３に示すように、搬送路２１の側面Ｓ１から突出する。このため、硬貨Ｃ３１は、搬送下流方向の進行が妨げられる。これにより、硬貨Ｃ３１は、確実にＡゲート３１とＢゲート４１との間を落下させられる。Ａゲート３１のガイド３１ｂは、硬貨Ｃ３１が搬送路２１の下流方向に搬送されることを阻止し、硬貨２１を第１の開口に誘導する第１のガイドを形成する。
【００７７】
図１４は、図１３の状態における硬貨分岐装置１５ａを−ｙ軸方向から見た図である。図１４において、図１２と同じものには同じ符号が付してある。
【００７８】
図１４に示すＡゲート３１は、図１２で示したＡゲート３１に対し、軸３１ａを回動軸として、時計回りに回動している。一方、Ｂゲート４１は、図１２の状態から、回動していない。
【００７９】
これにより、Ａゲート３１の底面Ｓ１１は、搬送路２１の底面Ｓ２からずれ、搬送路２１の開口部２３ａの底面部分（第１の開口）が開放される。硬貨Ｃ３１ａは、図１４に示すように、Ｂゲート４１の側面Ｓ２１を滑って第１の開口から落下する。なお、Ｂゲート４１の側面Ｓ２１を滑り第１の開口から落下する硬貨Ｃ３１ａは、上記したように、収納繰出装置１６ａとつながったシュートを伝って、収納繰出装置１６ａに収納される。
【００８０】
Ａゲート３１のガイド３１ｂは、Ａゲート３１の時計回りの回動によって、搬送路２１の側面Ｓ１（図１４に示す一点鎖線）から突出する。これにより、上記したように、硬貨Ｃ３１ａは、搬送下流方向の進行が妨げられ、確実にＢゲート４１の側面Ｓ２１を滑って第１の開口から落下させられる。
【００８１】
図１５は、搬送部１２に取付けられた硬貨分岐装置１５ａの斜視図のその３である。図１５において、図１１と同じものには同じ符号が付してある。
【００８２】
図１５に示す硬貨分岐装置１５ａは、図１３に示した硬貨分岐装置１５ａに対し、Ｂゲート４１が、軸４１ａを回動軸として回動している。具体的には、Ｂゲート４１は、軸４１ａを回動軸として時計回りに回動している。一方、Ａゲート３１は、図１３の状態から変化していない。
【００８３】
Ｂゲート４１の側面Ｓ２１は、図１５に示すように、搬送路２１の側面Ｓ１からずれている。具体的には、Ｂゲート４１は、側面Ｓ２１が搬送路２１の側面Ｓ１から飛び出し、搬送路２１の側面Ｓ１に開口（第２の開口）を形成している。
【００８４】
これにより、硬貨Ｃ３１は、図１５に示すように、Ｂゲート４１の背面側（側面Ｓ２１とは反対側、側面Ｓ２１の裏側）を通って落下する。Ｂゲート４１の背面側を落下する硬貨Ｃ３１は、図５に示した収納繰出装置１６ｅに収納される。
【００８５】
なお、硬貨Ｃ３１は、例えば、収納繰出装置１６ｅとつながったシュート（図５および図１５には図示せず）を伝って、収納繰出装置１６ｅに収納される。
【００８６】
Ａゲート３１のガイド３１ｂは、図１５に示すように、搬送路２１の側面Ｓ１から突出している。このため、硬貨Ｃ３１は、搬送下流方向の進行が妨げられる。これにより、硬貨Ｃ３１は、確実にＢゲート４１の背面側を落下させられる。Ａゲート３１のガイド３１ｂは、硬貨Ｃ３１が搬送路２１の下流方向に搬送されることを阻止し、硬貨２１を第２の開口に誘導する第２のガイドを形成する。
【００８７】
図１６は、図１５の状態における硬貨分岐装置１５ａを−ｙ軸方向から見た図である。図１５において、図１４と同じものには同じ符号が付してある。
【００８８】
図１６に示すＢゲート４１は、図１４で示したＢゲート４１に対し、軸４１ａを回動軸として、時計回りに回動している。一方、Ａゲート３１は、図１４の状態から、回動していない。
【００８９】
これにより、Ｂゲート４１の側面Ｓ２１は、搬送路２１の側面Ｓ１からずれ、搬送路２１の開口部２３ａの側面部分（第２の開口）が開放される。硬貨Ｃ３１は、図１６に示すように、第２の開口を通り、Ｂゲート４１の背面側を落下する。なお、Ｂゲート４１の背面側を落下する硬貨Ｃ３１は、上記したように、収納繰出装置１６ｅとつながったシュートを伝って、収納繰出装置１６ｅに収納される。
【００９０】
Ａゲート３１のガイド３１ｂは、図１６の状態では、搬送路２１の側面Ｓ１（図１６に示す一点鎖線）から突出している。これにより、上記したように、硬貨Ｃ３１は、搬送下流方向の進行が妨げられ、第２の開口を通り、確実にＢゲート４１の背面側を落下させられる。
【００９１】
アクチュエータ３２，４２の動作について説明する。図１１および図１２に示したように、硬貨を搬送下流方向に搬送させるときの、硬貨分岐装置１５ａの状態を、第１の状態と呼ぶ。図１３および図１４に示したように、硬貨を、搬送路２１の底面Ｓ２に開口を形成して落下させるときの、硬貨分岐装置１５ａの状態を、第２の状態と呼ぶ。図１５および図１６に示したように、硬貨を、搬送路２１の側面Ｓ１に開口を形成して落下させるときの、硬貨分岐装置１５ａの状態を、第３の状態と呼ぶ。
【００９２】
まず、硬貨分岐装置１５ａは、第１の状態の状態にあるとする。硬貨分岐装置１５ａを、第１の状態から、第２の状態に遷移するには、アクチュエータ３２は、Ａゲート３１を回動させる。例えば、図１４に示すように、アクチュエータ３２は、Ａゲート３１を、軸３１ａを回動軸として時計回りに回動する。
【００９３】
硬貨分岐装置１５ａを、第２の状態から、第３の状態に遷移するには、アクチュエータ４２は、Ｂゲート４１を回動させる。例えば、図１６に示すように、アクチュエータ４２は、Ｂゲート４１を、軸４１ａを回動軸として時計回りに回動する。
【００９４】
硬貨分岐装置１５ａを、第１の状態から、第３の状態に遷移するには、アクチュエータ３２，４２は、Ａゲート３１およびＢゲート４１を回動させる。例えば、図１６に示すように、アクチュエータ３２は、Ａゲート３１を、軸３１ａを回動軸として時計回りに回動し、アクチュエータ４２は、Ｂゲート４１を、軸４１ａを回動軸として時計回りに回動する。
【００９５】
もちろん、アクチュエータ３２，４２は、上記以外のある状態から、他の状態に硬貨分岐装置１５ａを遷移させることができる。例えば、アクチュエータ３２，４２は、硬貨分岐装置１５ａを、第３の状態から第２の状態に遷移させることができ、また第３の状態から第１の状態に遷移させることができる。
【００９６】
以上説明したように、硬貨分岐装置１５ａは、硬貨を搬送路２１から分岐させるＡゲート３１およびＢゲート４１を有する。また、硬貨分岐装置１５ａは、Ａゲート３１およびＢゲート４１を、硬貨を搬送路２１の下流方向へ誘導する第１の状態と、搬送路２１から硬貨を落下させる第１の方向に誘導する第２の状態と、搬送路２１の下流方向および第１の方向と異なる第２の方向に誘導する第３の状態と、のいずれかの状態に変化させるアクチュエータ３２，４２を有する。これにより、硬貨分岐装置１５ａは、１つの装置（モジュール）で硬貨を３方向に分岐するので、装置の小型化を図ることができる。
【００９７】
［第２の実施の形態］
第２の実施の形態では、硬貨を４方向に分岐させる。
【００９８】
図１７は、第２の実施の形態に係る硬貨分岐装置５０の一例を示した正面断面図である。図１７に示すように、硬貨分岐装置５０は、Ａゲート５１と、Ｂゲート５２と、を有している。以下では、硬貨分岐装置５０に対し、図１７に示すような３軸の座標を設定する。
【００９９】
図１７では、紙面垂直方向（ｙ軸方向）に搬送路が伸びている。図１７に示す点線は、搬送路の断面形状を示している。
【０１００】
図１７には、硬貨Ｃ４１が示してある。硬貨Ｃ４１は、搬送路によって、＋ｙ軸方向に搬送される。
【０１０１】
Ａゲート５１およびＢゲート５２は、搬送路の途中に設けられている（例えば、図２２に示すような搬送路７１，７２の間に設けられる）。Ａゲート５１は、ｙ軸方向に伸びる軸５１ａを回動軸として回動する。Ａゲート５１は、側面Ｓ３１を有している。
【０１０２】
Ｂゲート５２は、ｙ軸方向に伸びる軸５１ａを回動軸として回動する。Ｂゲートは、側面Ｓ３２と、底面Ｓ３３と、を有している。側面Ｓ３２と底面Ｓ３３は、Ｌ字状の面を形成している。
【０１０３】
硬貨分岐装置５０が図１７に示す状態にあるとき、Ａゲート５１の側面Ｓ３１は、搬送路の側面を形成する。例えば、側面Ｓ３１は、点線で示す搬送路の左側側面を形成する。
【０１０４】
また、硬貨分岐装置５０が図１７に示す状態にあるとき、Ｂゲート５２の側面Ｓ３２は、搬送路の側面を形成し、底面Ｓ３３は、搬送路の底面を形成する。例えば、側面Ｓ３２は、点線で示す搬送路の右側側面を形成し、底面Ｓ３３は、点線で示す搬送路の底面を形成する。これにより、硬貨Ｃ４１は、搬送路の下流方向（＋ｙ軸方向）へ搬送される。
【０１０５】
なお、図１７では図示を省略しているが、硬貨分岐装置５０は、Ａゲート５１を回動させるアクチュエータと、Ｂゲート５２を回動させるアクチュエータとを有している。
【０１０６】
図１８は、硬貨分岐装置５０の正面断面図である。図１８において、図１７と同じものには同じ符号が付してある。
【０１０７】
図１８に示すＢゲート５２は、図１７に示したＢゲート５２に対し、軸５２ａを回動軸として時計回りに回動している。Ｂゲート５２の回動により、Ｂゲート５２の底面Ｓ３３は、搬送路の底面からずれ、搬送路の底面には、開口が形成される。これにより、硬貨Ｃ４１は、矢印Ａ５１に示すように、下方に落下する。
【０１０８】
図１９は、硬貨分岐装置５０の正面断面図である。図１９において、図１７と同じものには同じ符号が付してある。
【０１０９】
図１９に示すＡゲート５１は、図１７に示したＡゲート５１に対し、軸５１ａを回動軸として時計回りに回動している。また、Ｂゲート５２は、図１７に示したＢゲート５２に対し、軸５２ａを回動軸として時計回りに回動している。Ａゲート５１およびＢゲート５２の回動により、Ａゲート５１の側面Ｓ３１およびＢゲート５２の側面Ｓ３２は、搬送路の側面からずれ、Ａゲート５１の側面Ｓ３１の背面側（側面Ｓ３１とは反対側、側面Ｓ３１の裏側）に開口が形成される。
【０１１０】
これにより、硬貨Ｃ４１は、矢印Ａ５２に示すように、搬送路の左側面方向に落下する。すなわち、硬貨Ｃ４１は、図１８の矢印Ａ５１に示した方向とは異なる方向に落下する。
【０１１１】
図２０は、硬貨分岐装置５０の正面断面図である。図２０において、図１７と同じものには同じ符号が付してある。
【０１１２】
図２０に示すＡゲート５１は、図１７に示したＡゲート５１に対し、軸５１ａを回動軸として反時計回りに回動している。また、Ｂゲート５２は、図１７に示したＢゲート５２に対し、軸５２ａを回動軸として反時計回りに回動している。Ａゲート５１およびＢゲート５２の回動により、Ａゲート５１の側面Ｓ３１およびＢゲート５２の側面Ｓ３２は、搬送路の側面からずれ、Ｂゲート５２の側面Ｓ３２の背面側（側面Ｓ３２とは反対側、側面Ｓ３２の裏側）に開口が形成される。
【０１１３】
これにより、硬貨Ｃ４１は、矢印Ａ５３に示すように、搬送路の右側面方向に落下する。すなわち、硬貨Ｃ４１は、図１８の矢印Ａ５１に示した方向と、図１９の矢印Ａ５２に示した方向とは異なる方向に落下する。
【０１１４】
Ａゲート５１およびＢゲート５２には、４つの状態がある。例えば、図１７に示したように、硬貨Ｃ４１を搬送下流方向に搬送する状態（第１の状態）がある。また、図１８に示したように、硬貨Ｃ４１を下方に落下する状態（第２の状態）がある。また、図１９に示したように、硬貨Ｃ４１を左側面方向に落下する状態（第３の状態）がある。また、図２０に示したように、硬貨Ｃ４１を右側面方向に落下する状態（第４の状態）がある。
【０１１５】
Ａゲート５１およびＢゲート５２は、アクチュエータによって、上記の４つの状態のいずれかに遷移される。これにより、硬貨分岐装置５０は、硬貨Ｃ４１を４方向に分岐させることができる。
【０１１６】
以上説明したように、硬貨分岐装置５０は、硬貨を搬送路から分岐させるＡゲート５１およびＢゲート５２を有する。また、硬貨分岐装置５０は、Ａゲート５１およびＢゲート５２を、硬貨Ｃ４１を搬送下流方向に誘導する状態と、硬貨Ｃ４１を下方に誘導する状態と、硬貨Ｃ４１を搬送路の左側面方向に誘導する状態と、硬貨Ｃ４１を搬送路の右側面方向に誘導する状態と、に変化させるアクチュエータを有する。これにより、硬貨分岐装置５０は、１つの装置で硬貨を４方向に分岐するので、装置の小型化を図ることができる。
【０１１７】
なお、搬送路は＋ｙ軸方向に下り傾斜した搬送路としてもよい。この場合、硬貨Ｃ４１は、搬送路上を転がりながら搬送され、硬貨分岐装置５０により搬送路から分岐される。また、搬送路は、硬貨Ｃ４１が、搬送路の下方または左側面方向または右側面方向に落下することを阻害しない周知の搬送機構により硬貨Ｃ４１を搬送するものでもよい。
【０１１８】
［第３の実施の形態］
第３の実施の形態では、第２の実施の形態とは異なる方法で硬貨を４方向に分岐させる。
【０１１９】
図２１は、第３の実施の形態に係る硬貨分岐装置６０の一例を示した正面図である。図２１に示すように、硬貨分岐装置６０は、ゲート６１と、シュートガイド６２ａ，６２ｂと、を有している。以下では、硬貨分岐装置６０に対し、図２１に示すような３軸の座標を設定する。
【０１２０】
図２１には、硬貨分岐装置６０の他に、シュート６３ａ〜６３ｃが図示してある。シュート６３ａ〜６３ｃのそれぞれは、３つの収納繰出装置（図示せず）に接続されている。また、図２１には、硬貨Ｃ５１が示してある。
【０１２１】
ゲート６１は、側面Ｓ４１，Ｓ４２と、底面Ｓ４３と、を有している。側面Ｓ４１，Ｓ４２と底面Ｓ４３は、Ｕ字状の面を形成している。
【０１２２】
図２１では、紙面垂直方向（ｙ軸方向）に搬送路が伸びている。硬貨分岐装置６０が図２１に示す状態にあるとき、ゲート６１の側面Ｓ４１，Ｓ４２と底面Ｓ４３は、搬送路の側面と底面を形成している（例えば、図２２を参照）。
【０１２３】
ゲート６１は、搬送方向上流側の面と、底面とにおいて一部がくり抜かれている（例えば、図２２の斜線部分を参照）。ゲート６１は、以下で説明するが、くり抜かれた部分において、硬貨Ｃ５１の＋ｙ軸方向の進行を妨げる平面状の傾斜したガイド面Ｓ４４が形成されている（例えば、図２４を参照）。ガイド面Ｓ４４は、＋ｙ軸方向に向かうに従って、下方に下がっている。
【０１２４】
シュートガイド６２ａ，６２ｂの一端は、ゲート６１の底面に接続されている。シュートガイド６２ａ，６２ｂは、例えば、可撓性を有した合成樹脂等のフィルムで構成される。シュートガイド６２ａ，６２ｂのゲート６１に接続されていない側の他端は、シュート６３ａ内に納められている。
【０１２５】
ゲート６１は、図中左右方向に移動する（例えば、図２５および図２６を参照）。図２１では図示を省略しているが、硬貨分岐装置６０は、ゲート６１を左右方向に移動するアクチュエータを有している。
【０１２６】
図２２は、図２１の状態における硬貨分岐装置６０を＋ｘ軸方向から見た図である。図２２において、図２１と同じものには同じ符号が付してある。
【０１２７】
図２２には、搬送路７１，７２が示してある。硬貨分岐装置６０は、搬送路７１，７２の間に設けられている。ゲート６１に示す斜線部分は、くり抜かれ、中空となっている。
【０１２８】
図２２の状態では、搬送路７１の底面Ｓ５１と、ゲート６１の底面Ｓ４３とは、面一となっている。また、搬送路７２の底面Ｓ５２と、ゲート６１の底面Ｓ４３とは、面一となっている。
【０１２９】
これにより、硬貨Ｃ５１は、搬送路７１から搬送路７２へ搬送される。つまり、硬貨Ｃ５１は、搬送路７１，７２において下流（＋ｙ軸方向）へ搬送される。
【０１３０】
図２３は、ゲート６１が上方に移動したときの状態を示した図である。図２３において、図２１と同じものには同じ符号が付してある。なお、図２３には、図２２に示した搬送路７２も示してある。図２３に示すゲート６１は、図２１に示したゲート６１に対し、上方（＋ｚ軸方向）へ移動している。
【０１３１】
図２４は、図２３の状態における硬貨分岐装置６０を＋ｘ軸方向から見た図である。図２３において、図２１、図２２、および図２３と同じものには同じ符号が付してある。
【０１３２】
ゲート６１が上方に移動すると、底面Ｓ４３も上方に移動する。このため、搬送路７１，７２の間には、ゲート６１によって形成されていた底面Ｓ４３が無くなり、開口が形成される。また、硬貨Ｃ５１の搬送方向（＋ｙ軸方向）には、ガイド面Ｓ４４が形成される。これにより、硬貨Ｃ５１の搬送下流方向への搬送が阻止される。
【０１３３】
すなわち、ゲート６１が上方に移動すると、硬貨Ｃ５１は、矢印Ａ６１に示すように、下方に落下する。落下する硬貨Ｃ５１は、図２３に示すように、シュート６３ａに落下する。
【０１３４】
なお、ゲート６１の底面には、図２３に示すように、シュート６３ａ内に伸びるシュートガイド６２ａ，６２ｂが設けられている。従って、ゲート６１が上方に移動し、シュート６３ａとの距離が遠くなっても、硬貨Ｃ５１が、別のシュート６３ｂ，６３ｃに落下するのを防止できる。
【０１３５】
図２５は、ゲート６１が右方に移動したときの状態を示した図である。図２５において、図２１と同じものには同じ符号が付してある。なお、図２５には、図２２に示した搬送路７２も示してある。図２５に示すゲート６１は、図２１に示したゲート６１に対し、右方（＋ｘ軸方向）へ移動している。
【０１３６】
ゲート６１が右方へ移動することにより、ゲート６１の側面Ｓ４１，Ｓ４２および底面Ｓ４３が形成する搬送路は、搬送路７１，７２から右方へずれる。これにより、搬送路７１で搬送される硬貨Ｃ５１は、矢印Ａ６２に示すように、ゲート６１の左側面Ｓ４５側を落下し、シュート６３ｂへ落下する。
【０１３７】
ゲート６１の左側面Ｓ４５は、下方に向かって裾が広がるように傾斜を有している。これは、落下する硬貨Ｃ５１が、シュート６３ｂに落下し、シュート６３ａに落下しないようにするためである。
【０１３８】
図２６は、ゲート６１が左方に移動したときの状態を示した図である。図２６において、図２１と同じものには同じ符号が付してある。なお、図２６には、図２２に示した搬送路７２も示してある。図２６に示すゲート６１は、図２１に示したゲート６１に対し、左方（−ｘ軸方向）へ移動している。
【０１３９】
ゲート６１が左方へ移動することにより、ゲート６１の側面Ｓ４１，Ｓ４２および底面Ｓ４３が形成する搬送路は、搬送路７１，７２から左方へずれる。これにより、搬送路７１で搬送される硬貨Ｃ５１は、矢印Ａ６３に示すように、ゲート６１の右側面Ｓ４６側を落下し、シュート６３ｃへ落下する。
【０１４０】
ゲート６１の右側面Ｓ４６は、下方に向かって裾が広がるように傾斜を有している。これは、落下する硬貨Ｃ５１が、シュート６３ｃに落下し、シュート６３ａに落下しないようにするためである。
【０１４１】
ゲート６１には、４つの状態がある。例えば、図２１に示したように、硬貨Ｃ５１を搬送下流方向に搬送する状態（第１の状態）がある。また、図２３に示したように、硬貨Ｃ５１を下方に落下する状態（第２の状態）がある。また、図２５に示したように、硬貨Ｃ５１を左側面方向に落下する状態（第３の状態）がある。また、図２６に示したように、硬貨Ｃ５１を右側面方向に落下する状態（第４の状態）がある。
【０１４２】
ゲート６１は、アクチュエータによって、上記の４つの状態のいずれかに遷移される。これにより、硬貨分岐装置６０は、硬貨Ｃ５１を４方向に分岐させることができる。
【０１４３】
以上説明したように、硬貨分岐装置６０は、硬貨を搬送路７１，７２から分岐させるゲート６１を有する。また、硬貨分岐装置６０は、ゲート６１を、硬貨Ｃ５１を搬送下流方向に誘導する状態と、硬貨Ｃ５１を下方に誘導する状態と、硬貨Ｃ５１を搬送路の左側面方向に誘導する状態と、硬貨Ｃ５１を搬送路の右側面方向に誘導する状態と、に変化させるアクチュエータを有する。これにより、硬貨分岐装置６０は、１つの装置で硬貨を４方向に分岐するので、装置の小型化を図ることができる。
【０１４４】
なお、搬送路は＋ｙ軸方向に下り傾斜した搬送路としてもよい。この場合、硬貨Ｃ４１は、搬送路上を転がりながら搬送され、硬貨分岐装置５０により搬送路から分岐される。
【０１４５】
なお、上記では、シュートガイド６２ａ，６２ｂは、フィルムで構成されるとしたが、櫛歯形状を有した剛体の板状部材であってもよい。この場合、シュート６３ａの上部にも、櫛歯形状を形成する。例えば、図２５および図２６に示したように、ゲート６１が左右に動く際、板状部材のシュートガイド６２ａ，６２ｂの下部と、シュート６３ａの上部とが接触しないように、板状部材のシュートガイド６２ａ，６２ｂの下部と、シュート６３ａの上部とを、櫛歯形状にする。
【符号の説明】
【０１４６】
１  硬貨処理装置
２  入金口
３  出金口
１１  貯留繰出装置
１２  搬送部
１３  識別部
１４，１５ａ〜１５ｄ，５０，６０  硬貨分岐装置
１６ａ〜１６ｅ  収納繰出装置
１７  出金搬送部
１８  回収庫
２１  搬送路
２２，２３ａ〜２３ｄ  開口部
２４  ベルト
２４ａ  突起
３１，５１  Ａゲート
３２，４２  アクチュエータ
４１，５２  Ｂゲート
Ｓ１，Ｓ１２，Ｓ２１，Ｓ３１，Ｓ３２，Ｓ４１，Ｓ４２  側面
Ｓ２，Ｓ１１，Ｓ３３，Ｓ４３  底面
６１  ゲート
６２ａ，６２ｂ  シュートガイド
６３ａ〜６３ｃ  シュート
【図１】
2018198010.tif 000003
【図２】
2018198010.tif 000004
【図３】
2018198010.tif 000005
【図４】
2018198010.tif 000006
【図５】
2018198010.tif 000007
【図６】
2018198010.tif 000008
【図７】
2018198010.tif 000009
【図８】
2018198010.tif 000010
【図９】
2018198010.tif 000011
【図１０】
2018198010.tif 000012
【図１１】
2018198010.tif 000013
【図１２】
2018198010.tif 000014
【図１３】
2018198010.tif 000015
【図１４】
2018198010.tif 000016
【図１５】
2018198010.tif 000017
【図１６】
2018198010.tif 000018
【図１７】
2018198010.tif 000019
【図１８】
2018198010.tif 000020
【図１９】
2018198010.tif 000021
【図２０】
2018198010.tif 000022
【図２１】
2018198010.tif 000023
【図２２】
2018198010.tif 000024
【図２３】
2018198010.tif 000025
【図２４】
2018198010.tif 000026
【図２５】
2018198010.tif 000027
【図２６】
2018198010.tif 000028